(57)【要約】      （修正有）【課題】簡単な構造で誤操作もない等の圧力鍋の蓋開閉ロック装置を提供する。【解決手段】蓋側ハンドルを容器側ハンドルに対向させて重合したときに、圧力鍋１内の圧力をフロート弁機構６０で検出し、操作レバー等を設けることなく、蓋の回動のみの操作で、鍋本体にロックし、又はロック解除できるようにした前記蓋側ロック機構２１と容器側ロック機構１１とからなるロック機構を備える。蓋側ロック機構は、第１、第２のスライダー３０、４０とロックスライダー５０の３個のスライダーと、各スライダーを伸縮する３個のバネとの相乗作用と、容器側ハンドル１０の容器側ロック機構（ガイド凹溝と凸壁）１１と、フロート弁機構６０との組合せにより、蓋側ハンドルを回動するだけで、自動的に第１スライダー３０の先端部をフロート弁６１の上面に出没させ、フロート弁の上昇を規制する。この構造により、圧力鍋内の圧力があるときは、蓋の開閉が阻止され、圧力鍋内の圧力がないときは、蓋の開閉は阻止されない。【選択図】図２
0003175743.tif 000002
【実用新案登録請求の範囲】
【請求項１】
鍋本体の開口部を被蓋する蓋に設けられ、底面に形成した凹溝と、該凹溝に交差して連通した切欠き溝とを有する蓋側ハンドルと、該蓋側ハンドルの凹溝に設けられた、第１のバネを設けた第１スライダーと、第１スライダーに嵌装され下部に脚部を有すると共に、第２のバネを設けた第２スライダーと、前記第１スライダーに嵌装され、鍋本体中心方向と直交する方向に第３のバネを設けると共に、一端部には容器側ハンドルの上面に突設した凸壁と当接される係止部を有するロックスライダーとからなる蓋側ロック機構と、
蓋に鍋本体の内圧を検出するフロート弁機構を設けると共に、
鍋本体の外周壁に取り付けられ、上面に形成されたガイド凹溝と、該ガイド凹溝に隣接して突設された凸壁とを有する容器側ハンドルと、
前記容器側ハンドルのガイド凹溝と凸壁とを容器側ロック機構として構成し、
蓋側ハンドルを容器側ハンドルに対向させて重合したときに、圧力鍋内の圧力をフロート弁機構で検出し、操作レバー等を設けることなく、蓋の回動のみの操作で、鍋本体にロックし、又はロック解除できるようにした前記蓋側ロック機構と容器側ロック機構とからなるロック機構を備えたことを特徴とする圧力鍋の蓋開閉ロック装置。
【請求項２】
前記蓋側ハンドルに設けられた蓋側ロック機構は、
鍋本体に蓋を被蓋し蓋側ハンドルを閉方向に回動して蓋をロックする時には、第２スライダーの脚部が容器側ハンドルのガイド凹溝の係合部に移動されると、第１スライダーは静止した状態で、第２スライダーのみが後方へ移動して、容器側ハンドルと蓋側ハンドルが完全な重合状態になったとき、前記ロックスライダーの係止部が容器側ハンドルの上面に突設した凸壁に当接してから、蓋側ハンドルの切欠き溝とロックスライダーの係止部との係合状態が外され、第１のバネにより第１スライダーを後方に移動させ、
また、上記蓋のロック状態からロック解除状態にする時には、第２スライダーの脚部が容器側ハンドルのガイド凹溝内を摺動しながらガイド凹溝外に移動すると共に、該第２スライダーを前方へ移動し、同時に第１スライダーも前方に移動させ、前記蓋側ハンドルの切欠き溝とロックスライダーの係止部を係合状態に戻すことにより、第１スライダーおよび第２スライダーを前方方向に保持することを特徴とする請求項１に記載の鍋の蓋開閉ロック装置。
【請求項３】
前記鍋本体の内圧を検出するフロート弁機構は、
蓋の中心部と第１スライダーとを結ぶ軸線上には、第１スライダーの先端部より前方位置において、蓋に鍋本体の内圧を検出するフロート弁を設けてあり、蓋のロック状態時において、前記フロート弁が圧力鍋内の圧力を検出しているときには、フロート弁が上昇し、第１スライダーの前方向への移動を阻止するため蓋を回動開放できず、また、圧力鍋内の圧力を検出していないときには、フロート弁が降下し、第１スライダーの前方向への移動を可能にするため蓋を開放することができるように、第１スライダーの先端部が前記フロート弁に当接し又は当接を解除するように構成してあることを特徴とする請求項１または２に記載の圧力鍋の蓋開閉ロック装置。
【考案の詳細な説明】
【技術分野】
【０００１】
本考案は、圧力鍋の鍋本体の開口部を被蓋する蓋を周方向に回動して、該蓋を鍋本体に気密にロックするための圧力鍋の蓋開閉ロック装置に関するものである。
【背景技術】
【０００２】
従来、この種の圧力鍋の蓋開閉ロック装置としては、例えば、実用新案登録第３１６１８３８号の登録実用新案公報（特許文献１）に記載されたものが知られている。
【０００３】
この特許文献１に記載された蓋開閉ロック装置は、容器側に設けられた第１ハンドルと、蓋に設けられた第２ハンドルとを備え、第２ハンドルを周方向に回動させて、第１ハンドルと第２ハンドルとを互いに対向させ重合したときにロック状態となるように構成されている。
【０００４】
その構成としては、添付図面の符合を参考に付して説明すると、第２ハンドル(１２)に設けられ、容器に対する蓋のロック状態を解除するために操作される操作部（４０）と、第２ハンドル(１２)に設けられ、操作部（４０）の操作に基づいてロック位置からロック解除位置に変位する蓋側ロック部（３０）と、第１ハンドル（１１）に設けられ、前記蓋側ロック部（３０）がロック位置にあるときには、蓋側ロック部（３０）に係合して蓋が周方向に回転するのを規制し、蓋側ロック部（３０）がロック解除位置にあるときには、蓋側ロック部（３０）に対する係合状態が解除され、蓋が周方向に回転するのを許容する容器側ロック部（２０）と、第２ハンドル（１２）に設けられ、操作部（４０）の操作に基づいて蓋側ロック部（３０）がロック位置からロック解除位置に変位したときに、蓋側ロック部（３０）をロック解除位置において係止させると共に、蓋を周方向に回転させて容器に取り付けたときに、蓋側ロック部（３０）をロック解除位置からロック位置へと変位させる係止機構（５０、具体的には５１、５２、５３、５５、５７、６０，６１、６２、６３）を備えている。
【０００５】
上記構成からなる特許文献１のものでは、蓋のロック解除時には、操作部（４０）を親指等で操作することにより、蓋側ロック部（３０）がロック位置からロック解除位置に変位したときに、第１係合部（５１）が第１被係合部（６２）に係合することにより、蓋側ロック部（３０）をロック解除位置において係止させる。このように、操作部（４０）を操作するだけでロック解除状態に維持することができるので、ロック解除状態に維持しておくための操作と鍋蓋（４）を開方向（Ｄ３）に回転させる操作とを同時に行う必要が無く、鍋蓋を取り外す際の操作性を向上することができる。逆に、蓋を鍋本体に取り付ける時には、鍋蓋（４）を閉方向（Ｄ２）に回転させると、蓋側ロック部（３０）がロック解除位置からロック位置へと自動的に変位することにより、鍋蓋（４）を取り付ける際の操作性も向上することができるとするものである。
【先行技術文献】
【特許文献】
【０００６】
【特許文献１】実用新案登録第３１６１８３８号の登録実用新案公報
【考案の概要】
【考案が解決しようとする課題】
【０００７】
しかしながら、前記特許文献１の蓋開閉ロック装置では、蓋のロック解除時には、操作部（４０）を親指等で必ず操作しなければならないばかりか、蓋側ロック部（３０）をロック解除位置からロック位置へと変位させる係止機構（５０）として、第１係合部（５１）、第１被係合部（６２）、第２係合部（５２）、第２被係合部（６３）、保持部材（５３）、ばね（５４）、（５７）等の多数の構成部材を必要とする難点がある。さらに、特許文献１のものでは、容器内の圧力を検出するフロート弁との連係がされていないという問題もある。
【０００８】
本考案は、上記従来例の有する問題点を解消するために案出されたものであり、従来例のように蓋のロック解除状態を維持するために操作部を設ける必要がなく、蓋の開閉が簡単で軽快にできると共に、蓋に設けられたフロート弁が圧力鍋内の圧力を検出している時には蓋を開放できず、圧力を検出していない時には蓋を開放できるように安全性を向上させ、さらに従来例のような多数の構成部材からなる係止機構を用いること無く、簡単な構造で誤動作もない等の圧力鍋の蓋開閉ロック装置を提供することを目的とする。
【課題を解決するための手段】
【０００９】
上記目的を達成するため、本考案の請求項１の圧力鍋の蓋開閉ロック装置は、鍋本体の開口部を被蓋する蓋に設けられ、底面に形成した凹溝と、該凹溝に交差して連通した切欠き溝とを有する蓋側ハンドルと、該蓋側ハンドルの凹溝に設けられた、第１のバネを設けた第１スライダーと、第１スライダーに嵌装され下部に脚部を有すると共に、第２のバネを設けた第２スライダーと、前記第１スライダーに嵌装され、鍋本体中心方向と直交する方向に第３のバネを設けると共に、一端部には容器側ハンドルの上面に突設した凸壁と当接される係止部を有するロックスライダーとからなる蓋側ロック機構と、
蓋に鍋本体の内圧を検出するフロート弁機構を設けると共に、
鍋本体の外周壁に取り付けられ、上面に形成されたガイド凹溝と、該ガイド凹溝に隣接して突設された凸壁とを有する容器側ハンドルと、
前記容器側ハンドルのガイド凹溝と凸壁とを容器側ロック機構として構成し、
蓋側ハンドルを容器側ハンドルに対向させて重合したときに、圧力鍋内の圧力をフロート弁機構で検出し、操作レバー等を設けることなく、蓋の回動のみの操作で、鍋本体にロックし、又はロック解除できるようにした前記蓋側ロック機構と容器側ロック機構とからなるロック機構を備えたことを特徴とする。
【００１０】
本考案の請求項２の圧力鍋の蓋開閉ロック装置は、請求項１において、前記蓋側ハンドルに設けられた蓋側ロック機構は、
鍋本体に蓋を被蓋し蓋側ハンドルを閉方向に回動して蓋をロックする時には、第２スライダーの脚部が容器側ハンドルのガイド凹溝の係合部に移動されると、第１スライダーは静止した状態で、第２スライダーのみが後方へ移動して、容器側ハンドルと蓋側ハンドルが完全な重合状態になったとき、前記ロックスライダーの係止部が容器側ハンドルの上面に突設した凸壁に当接してから、蓋側ハンドルの切欠き溝とロックスライダーの係止部との係合状態が外され、第１のバネにより第１スライダーを後方に移動させ、
また、上記蓋のロック状態からロック解除状態にする時には、第２スライダーの脚部が容器側ハンドルのガイド凹溝内を摺動しながらガイド凹溝外に移動すると共に、該第２スライダーを前方へ移動し、同時に第１スライダーも前方に移動させ、前記蓋側ハンドルの切欠き溝とロックスライダーの係止部を係合状態に戻すことにより、第１スライダーおよび第２スライダーを前方方向に保持することを特徴とする。
【００１１】
本考案の請求項のクレーム３の圧力鍋の蓋開閉ロック装置は、請求項１または２において、前記鍋本体の内圧を検出するフロート弁機構は、
蓋の中心部と第１スライダーとを結ぶ軸線上には、第１スライダーの先端部より前方位置において、蓋に鍋本体の内圧を検出するフロート弁を設けてあり、蓋のロック状態時において、前記フロート弁が圧力鍋内の圧力を検出しているときには、フロート弁が上昇し、第１スライダーの前方向への移動を阻止するため蓋を回動開放できず、また、圧力鍋内の圧力を検出していないときには、フロート弁が降下し、第１スライダーの前方向への移動を可能にするため蓋を開放することができるように、第１スライダーの先端部が前記フロート弁に当接し又は当接を解除するように構成してあることを特徴とする。
ここで、「当接し」とは、第１スライダーの先端部がフロート弁に当たって該フロート弁を係止している場合に限らず、第１スライダーの先端部がフロート弁の上面まで突出して（臨んで）該フロート弁とは接触していずフロート弁の一定以上の上昇を阻止する場合も含む広義に解すべきである。また、「当接を解除する」とは、上記のような場合において、第１スライダーが後退して、第１スライダーの先端部がフロート弁の上昇を規制できないことを言う。
【考案の効果】
【００１２】
請求項１の考案によれば、鍋本体の開口部を被蓋する蓋に設けられ、底面に形成した凹溝と、該凹溝に交差して連通した切欠き溝とを有する蓋側ハンドルと、該蓋側ハンドルの凹溝に設けられた、第１のバネを設けた第１スライダーと、第１スライダーに嵌装され下部に脚部を有すると共に、第２のバネを設けた第２スライダーと、前記第１スライダーに嵌装され、鍋本体中心方向と直交する方向に第３のバネを設けると共に、一端部には容器側ハンドルの上面に突設した凸壁と当接される係止部を有するロックスライダーとからなる蓋側ロック機構と、蓋に鍋本体の内圧を検出するフロート弁機構を設けると共に、鍋本体の外周壁に取り付けられ、上面に形成されたガイド凹溝と、該ガイド凹溝に隣接して突設された凸壁とを有する容器側ハンドルと、前記容器側ハンドルのガイド凹溝と凸壁とを容器側ロック機構として構成し、蓋側ハンドルを容器側ハンドルに対向させて重合したときに、圧力鍋内の圧力をフロート弁機構で検出し、操作レバー等を設けることなく、蓋の回動のみの操作で、鍋本体にロックし、又はロック解除できるようにした前記蓋側ロック機構と容器側ロック機構とからなるロック機構を備えたことを特徴とする。
【００１３】
このように、蓋側ロック機構が、第１、第２のスライダーとロックスライダーの３個のスライダーと、各スライダーを伸縮する３個のバネとの相乗作用と、容器側ハンドルの容器側ロック機構（ガイド凹溝と凸壁）と、フロート弁機構との組合せにより、蓋側ハンドルを回動するだけで、自動的に第１スライダーの先端部をフロート弁の上面に出没させ、フロート弁の上昇を規制することができ、圧力鍋内の圧力があるときは、蓋の開閉が阻止され、圧力鍋内の圧力がないときは、蓋の開閉は阻止されない。
従って、本考案では、特許文献１の蓋開閉ロック装置において、蓋のロック解除時に操作上必須な操作部を設ける必要はなく、操作部により蓋ロック部を解除した後、または操作部を親指等で押圧しながら蓋側ハンドルを回動する必要がないから、蓋の開閉が簡単で軽快にできる。また、ロック解除位置からロック位置へ変位させる、第１係合部、第１被係合部、第２係合部、第２被係合部、保持部材、ばね等の多数の構成部材からなる係止機構も不要であるから、構造が簡単で誤動作もない。さらに、本考案の第１、第２のスライダー並びにロックスライダーは、いずれも鍋本体の開口縁部に嵌装したパッキンを押圧することもないから、圧力鍋内の残圧よってパッキンからの蒸気の噴出もない。
【００１４】
請求項２の考案によれば、前記蓋側ハンドルに設けられた蓋側ロック機構は、
鍋本体に蓋を被蓋し蓋側ハンドルを閉方向に回動して蓋をロックする時には、第２スライダーの脚部が容器側ハンドルのガイド凹溝の係合部に移動されると、第１スライダーは静止した状態で、第２スライダーのみが後方へ移動して、容器側ハンドルと蓋側ハンドルが完全な重合状態になったとき、前記ロックスライダーの係止部が容器側ハンドルの上面に突設した凸壁に当接してから、蓋側ハンドルの切欠き溝とロックスライダーの係止部との係合状態が外され、第１のバネにより第１スライダーを後方に移動させ、また、上記蓋のロック状態からロック解除状態にする時には、第２スライダーの脚部が容器側ハンドルのガイド凹溝内を摺動しながらガイド凹溝外に移動すると共に、該第２スライダーを前方へ移動し、同時に第１スライダーも前方に移動させ、前記蓋側ハンドルの切欠き溝とロックスライダーの係止部を係合状態に戻すことにより、第１スライダーおよび第２スライダーを前方方向に保持することを特徴とする。
このように、蓋側ハンドルを回動するだけで、第１スライダー、第２スライダー、ロックスライダー、第１のバネ、第２のバネ、第３のバネ、凹溝、切欠き溝、凸壁の相乗効果により自動的に第１スライダーの先端部をフロート弁の上面に出没させ、フロートの上昇を規制することができ、圧力鍋内の圧力があるときは、蓋の開閉が阻止され、圧力鍋内の圧力がないときは、蓋の開閉が阻止されない構造となり、蓋側ロック機構の組み付けが簡単で容易に実施できる等の利点を有する。
【００１５】
請求項３の考案によれば、前記鍋本体の内圧を検出するフロート弁機構は、
蓋の中心部と第１スライダーとを結ぶ軸線上には、第１スライダーの先端部より前方位置において、蓋に鍋本体の内圧を検出するフロート弁を設けてあり、蓋のロック状態時において、前記フロート弁が圧力鍋内の圧力を検出しているときには、フロート弁が上昇し、第１スライダーの前方向への移動を阻止するため蓋を回動開放できず、また、圧力鍋内の圧力を検出していないときには、フロート弁が降下し、第１スライダーの前方向への移動を可能にするため蓋を開放することができるように、第１スライダーの先端部が前記フロート弁に当接し又は当接を解除するように構成してあることを特徴とする。
このように、蓋のロック状態時において、フロート弁が圧力鍋内の圧力を検出しているとき（つまり、フロート弁が上昇して圧力鍋内に残圧があるとき）には、第１スライダーは前方へ移動できずフロート弁との当接が解除されているので、絶対に蓋を開放することができない。一方、圧力鍋内の検出していないとき（つまり、フロート弁が降下して圧力鍋内に残圧がなく大気圧と同一であるとき）には、第１スライダーが前方へ移動され第１スライダーの先端部がフロート弁と当接されて開放することができるので、安全な蓋の開閉ロック機構が提供できる。換言すれば、フロート弁の上昇または降下により、蓋側ハンドルによる蓋の開閉を確認することができる。
【図面の簡単な説明】
【００１６】
【図１】本考案に係る圧力鍋の蓋開閉ロック装置を採用した圧力鍋の全体の斜視図である。
【図２】図１において、蓋側ハンドルの底面側に設けた蓋側ロック機構と容器側ハンドルの周辺を示した要部斜視図である。
【図３】図２における蓋側ロック機構の斜視図である。
【図４】図３の蓋側ロック機構の中央部を縦断して示した斜視図である。
【図５】図３の蓋側ロック機構の後部の一部を縦断して示した斜視図である。
【図６】第２スライダー、ロックスライダー及び第１、第２、第３のバネの分解斜視図である。
【図７】図１において、蓋側ハンドルを設けた蓋の要部の底面図である。
【図８】図１及び図２における容器側ハンドルを上面からみた斜視図である。
【図９】フロート弁機構の一例と第１スライダーとの関係を示した説明図であり、（A）は圧力鍋内に圧力がなく、第１スライダーの先端部が突出すると共にフロート弁が下がっている状態を示し、（B）は圧力鍋内に圧力があり、第１スライダーの先端部が後退すると共にフロート弁が上がっている状態を示している。
【図１０】蓋側ロック機構とフロート弁機構との関係を示した動作原理図であって、（A）は第１スライダーがフロート弁に当接して蓋のロック解除状態を示し、（B）は上記（A）位置より第２スライダーが少し後退すると共に、ロックスライダーの係止部と容器側ハンドルの凸壁とが当接した状態を示し、（C）は蓋側ハンドルと容器側ハンドルとが完全に重合して、ロックスライダーの係止部が第１スライダー内に没入すると共に容器側ハンドルの凸壁が蓋側ハンドルの切欠き溝に係合して、蓋がロックされた状態を示している。
【図１１】第１スライダーの先端部がフロート弁機構と当接解除しフロート弁が上昇している状態を示した要部斜視図である。
【考案を実施するための形態】
【００１７】
本考案の実施の形態の一例を図１〜図１１に基づいて以下に説明する。
図１、図２、図１１において、１は圧力鍋であって、この圧力鍋１は、外周側壁に容器側ハンドル１０を取り付けた鍋本体２と、該鍋本体２の開口部を閉塞するもので、かつ蓋側ハンドル２０を取り付けた蓋３とからなっている。そして、容器側ハンドル１０と蓋側ハンドル２０は対応する形状を有しており、図1に示すように、蓋３を鍋本体２にロックさせた状態では対向して重なり合うようになっている。
【００１８】
前記容器側ハンドル１０に容器側ロック機構１１を、蓋側ハンドル２０に蓋側ロック機構２１とフロート弁機構６０とを備え、これら三者の容器側ロック機構１１と蓋側ロック機構２１とフロート弁機構６０とが蓋開閉機構ともなるロック機構６を構成している。鍋本体２に蓋３を閉鎖する場合には、図１に示すように、鍋本体２の開口部を蓋３で被蓋して、蓋側ハンドル２０が容器側ハンドル１０と対向して重合するように蓋側ハンドル２０を鍋本体２の周方向に沿って閉方向に回動すると、上記ロック機構６によって、両ハンドル１０，２０は、図１に示すように重合し、図１０（Ｃ）に示すように、第１スライダーを後方に下げた状態に保持することができるので、フロート弁の上昇を阻止することなく、鍋本体２と蓋３とは気密状態に保持される。
また、上記蓋３のロック状態からロック解除状態にする時には、後述のフロート弁６１が圧力鍋１内の圧力を検出していずフロート弁６１が降下して開弁状態(図９(Ａ），図１０（Ａ）参照）において、蓋側ハンドル２０を鍋本体２の周方向に沿って開方向に回動すると、前記ロック機構６によって、ロック状態が解除され、蓋３は鍋本体２から取り外す（開放する）ことができる。
【００１９】
なお、鍋本体２の上部開口縁には適当間隔をおいて外向きの係止突片を複数個形成するとともに、蓋３の下部開口縁には適当間隔をおいて内向きの係止爪を複数個形成している。蓋側ハンドル２０を回動して、前記係止突片と係止爪が係合することにより蓋３が外れないようになると共に、係止突片と係止爪との係合が解除されることにより蓋３が外れるようにしてある。また、蓋３の内周縁部にはパッキンを嵌装して、鍋本体２と蓋３とをロックしたときに、圧力鍋１の圧力が外部に逃げず、内部の圧力を上昇させることができるようにしてある。
【００２０】
後述のロック弁機構６０との連係動作に応じて、前記容器側ロック機構１１と蓋側ロック機構２１とが互いに係合することにより、蓋３が鍋本体２に対してロックされ、両者１１、２１の係合が解除されることにより、蓋３が鍋本体２に対してロック解除される。
そこで、容器側ロック機構１１と、蓋側ロック機構２１について、以下に説明する。
【００２１】
容器側ロック機構１１は、図８に示されるように、容器側ハンドル１０の前部に形成されたガイド凹溝１２と、該ガイド凹溝１２に隣接して突設された凸壁１３とからなっている。上記ガイド凹溝１２は、蓋側ハンドル２０に設けた後述する第２スライダーの脚部が、図８において左右動するものであり、容器側ハンドル１０と蓋側ハンドル２０とを対向して重合してロック状態にある時には、前記第２スライダーの脚部がガイド凹溝１２の係合部１２ａに係合される。このガイド凹溝１２は、図8に示されているように、入口１２ｃは容器側ハンドル１０の最も前方位置に形成され、テーパ側壁１２ｂでは入口１２ｃより後方位置に形成されている。
【００２２】
蓋側ハンドル２０は、図７に示されているように、その前部を蓋３の外周側壁３ａに当てがって両者をネジ等で固定してある。そして、この蓋側ハンドル２０の底面には、長手方向に凹溝２２が形成されていると共に、該凹溝２２に交差して連通した切欠き溝２３が形成されている。この実施形態では、前記凹溝２２内に蓋側ロック機構２１が嵌装されている。
【００２３】
前記蓋側ロック機構２１は、伸縮バネ等の第１のバネ３１を設けた第１スライダー３０と、第１スライダー３０に嵌装され下部に脚部４２を有すると共に、伸縮バネ等の第２のバネ４１を設けた第２スライダー４０と、前記第１スライダー３０に嵌装され、鍋本体２の中心方向と直交する方向に伸縮バネ等の第３のバネ５１を設けると共に、一端部には容器側ハンドル１０の上面に突設した凸壁１３と当接される係止部５２を有するロックスライダー５０とからなっている。
【００２４】
第１スライダー３０は、この実施形態では、異形の略箱状とした基台部３２と、この基台部３２の上面に前方へ延設したスライダー本体部３３とからなっている。そして、基台部３２の上部から底部には空室３４を形成し、この空室３４内には、図６に示されているような第２スライダー４０が第１スライダー３０に対して前後動できるように嵌装されている。
【００２５】
第１スライダー３０の第１のバネ３１は、前記第２スライダー４０の柱部４４の後部上端部に形成したバネ受部４３と、第１スライダー３０の基台部３２に形成された空室３４の後部壁３５との間に設けられ，重合時以外は第１スライダー３０の先端部を常時前方向に押してフロート弁６１の上昇を阻止している。
【００２６】
第２スライダー４０は、この実施形態では、図６に示されているように、柱部４４と、該柱部４４の左右側より後方に延設した１対のアーム部４５、４５と、柱部４４の下部に垂下した前記脚部４２と、前記バネ受部４３と、該バネ受部４３より少し下方に形成したバネ受部４６を形成している。そして、第２のバネ４１は、その前端部を前記バネ受部４６に掛け、後端部は、第１スライダー３０の後部壁３５の一部に形成した貫通孔３６を経て、蓋側ハンドル２０の底面に形成した凹溝２２の側壁に掛架するようにしている。
【００２７】
ロックスライダー５０は、一端側に係止部５２を突出した略箱状のものであって、その箱状部５３の他端を開口して、該箱状部５３の空室に、伸縮バネ等の第３のバネ５１を嵌装して、係止部５２が容器側ハンドル１０の凸壁１３に当接する方向に付勢されている。
そして、容器側ハンドル１０と蓋側ハンドル２０が完全な重合状態になったとき、前記ロックスライダー５０の係止部５２が容器側ハンドル１０の上面に突設した凸壁１３に当接してから、蓋側ハンドル２０の切欠き溝２３とロックスライダー５０の係止部５２との係合状態が外され、第１スライダー３０を後方に移動させる。また、蓋のロック状態からロック解除状態にする時には、前記蓋側ハンドル２０の切欠き溝２３とロックスライダー５０の係止部５２を係合状態に戻すことにより、第１スライダー３０および第２スライダー４０を前方方向に保持させる。
なお、ロックスライダー５０は、図５に示されているように、底部に係止爪５４を形成し、この係止爪５４を第１スライダー３０の底部に形成した爪３７と係止するようにして、ロックスライダー５０が外側へ飛び出さないようにしている。
【００２８】
なお、この実施形態では、前記第１スライダー３０、第２スライダー４０、ロックスライダー５０及び第１、第２、第３のバネ３１、４１、５１からなる蓋側ロック機構２１は、蓋側ハンドル２０の底面に形成した凹溝２２内に嵌挿すると共に、前記第２スライダー４０の脚部４２は、前記蓋側ハンドル２０の凹溝２２内より下方へ突出され、蓋側ハンドル２０を容器側ハンドル１０に対向して回動する場合に容器側ハンドル１０のガイド凹溝１２内に摺動可能としてあり、蓋側ハンドル２０が容器側ハンドル１０と完全に重合してロック位置にある場合は、前記第２スライダー４０の脚部４２は容器側ハンドル１０のガイド凹溝１２の係合部１２ａに係止されるようにしてある。
しかしながら、本考案に係る蓋側ロック機構２１の具体的構成や組付け方法については、前述した構成や組付け方法に限定されず、適宜に設計変更できる。
【００２９】
本考案は、安全性の高い蓋の開閉ロック機構を提供するため、前記蓋３の中心部と第１スライダー３０とを結ぶ軸線上には、第１スライダー３０の先端部より前方位置において、蓋３に鍋本体２の内圧を検出するフロート弁機構６０としてフロート弁６１を設けてあり、蓋３のロック状態時において、前記フロート弁６１が圧力鍋１内の圧力を検出しているときには、フロート弁６１が上昇し、第１スライダー３０の前方方向への移動を阻止して、蓋３を開放できず、圧力鍋１内の圧力を検出していないときには、フロート弁６１が降下し、第１スライダー３０の前方方向への移動を可能にすることにより、蓋３を開放することができるように、第１スライダー３０の先端部３０ａが前記フロート弁６１に当接し又は当接を解除するように構成してある。
【００３０】
前記フロート弁機構６０としては、この実施形態では、例えば図９（Ａ），（Ｂ）に示されているように、重り式のフロート弁６１を採用している。このフロート弁６１は、蓋３の貫通孔３ｂに嵌装した段付きの外筒６２内に上下動可能に嵌挿している。
なお、図９（Ａ），（Ｂ）で、２４はフロート弁６１と外筒２間の間隙と連通した、蓋側ハンドル２０に形成した連通孔、６３はフロート弁６１の上端部に設けて外部から視認できるようにしたパイロット部である。
【００３１】
図９（Ａ）は、圧力鍋1内に圧力がない時でフロート弁６１が自重で降下しており、第１スライダー３０の先端部３０ａは、蓋側ハンドル２０の底面側のガイド穴６４から進入（突出）して、フロート弁６１が上昇するのを規制しており、蓋３を開放できる状態を示している。
図９（Ｂ）は、圧力鍋1内に圧力がある時でフロート弁６１が内圧により上昇しており、第１スライダー３０の先端部３０ａが後退してフロート弁６１が上昇しており、蓋３を開放できない状態を示している。
【００３２】
そこで、フロート弁６１、第１、第２のスライダー３０、４０及びロックスライダー５０、容器側ハンドル１０の凸壁１３並びに蓋側ハンドル２０との関係を図１０（Ａ），（Ｂ），（Ｃ）に基づいて以下に説明する。
【００３３】
図１０（Ａ）は、蓋側ロック機構２１の常態時を示しており、この常態時において、蓋３を鍋本体２にセットして閉方向に少し回転させた状態を示している。この場合は、第２スライダー４０の脚部４２が、容器側ハンドル１０のガイド凹溝１２の入口１２ｃ近辺にあるため、蓋側ロック機構２１は常態時の姿勢を保持したままである。つまり、第１スライダー３０は第１のバネ３１及び第２のバネ４１との付勢力により前方に移動され、第２スライダー４０の脚部４２は第１のバネ３１の付勢力により前方は移動され、ロックスライダー５０の係止部５２は蓋側ハンドル２０の切欠き溝２３に係合されており、第１スライダー３０の先端部３０ａはフロート弁６１の上面に臨み又は当接され（図９（Ａ）参照）、この場合は蓋３の開閉が可能である。
【００３４】
図１０（Ｂ）は、蓋３を上記図１０（Ａ）の場合より更に閉方向に回転させて、ロックスライダー５０の係止部５２が容器側ハンドル１０の凸壁１３に当接している、ロック直前状態を示している。この場合は、第２スライダー４０の脚部４２が容器側ハンドル１０のガイド凹溝１２のテーパ側壁１２ｂに沿って移動されると、第１スライダー３０は静止した状態で、第２スライダー４０のみが第１のバネ３１を圧縮しながら後方へ移動し、前述の如く、ロックスライダー５０の係止部５２が容器側ハンドル１０の凸壁１３に当接している。
【００３５】
図１０（Ｃ）は、蓋３を上記図１０（Ｂ）の場合より更に閉方向に回転させて、蓋３が完全に重合してロックされたロック状態を示している。この場合は、図１０（Ｂ）の状態から、第２スライダー４０の脚部４２が、容器側ハンドル１０のガイド凹溝１２の係合部１２ａに係合する位置まで、蓋側ハンドル２０を閉方向に回動したものである。このとき、ロックスライダー５０の係止部５２は、容器側ハンドル１０の凸壁１３に当接している状態（図１０（Ｂ）参照）から当接解除されると共に、蓋側ハンドル２０の切欠き溝２３との係合が解除され、図１０（Ｃ）に示すように第１スライダー３０内に没入される。それと共に、蓋側ハンドル２０の切欠き溝２３に容器側ハンドル１０の凸壁１３が係合され、第１のバネ３１が第１スライダー３０を後方に移動して、図１０（Ｃ）の如く、第１スライダー３０の先端部３０ａはフロート弁６０から後退し当接解除される。従って、このように、蓋が完全に重合している蓋のロック状態において、前記フロート弁６０が圧力鍋１内の圧力を検出しているときには、フロート弁６１が上昇し、第１スライダー３０の前方向への移動を阻止するため蓋３を回動開放できず（図９（Ｂ），図１０（Ｃ）参照）、また、圧力鍋１内の圧力を検出していないとき（フロートが降下時）には、第１スライダー３０の前方向への移動を可能にするため蓋を開放することができる（図９（Ａ）参照）。  
【００３６】
また、蓋のロック状態からロック解除状態にする時には、第２スライダー４０の脚部４２が容器側ハンドル１０のガイド凹溝１２内を摺動しながらガイド凹溝１２外に移動すると共に、該第２スライダー４０を前方へ移動し、同時に第１スライダー３０も前方に移動させ、前記蓋側ハンドル２０の切欠き溝２３とロックスライダー５０の係止部５２を係合状態に戻すことにより、第１スライダー３０および第２スライダー４０を前方方向に移動させると良い。すなわち、図１０（Ｃ）から（Ｂ），（Ａ）を経て、蓋側ハンドル２０を更に開方向へ移動するとよい。
【００３７】
本実施形態では、フロート弁６１は図９に示されたような構成を採用したが、これに限らず、第１スライダー３０の先端部がフロート弁６１に当接して又は当接を解除するような構成であれば、他の構成のものを採用することができる。
【００３８】
また、本実施形態では、蓋側ロック機構２１は蓋側ハンドル２０の凹溝２２に嵌装しているが、蓋側ロック機構２１の構成部材の構成を変更するなどして、他の構成を採用することができる。
【００３９】
さらに、蓋側ロック機構２１を構成する、第１スライダー３０、第２スライダー４０及びロックスライダー５０は、図示した構成に限定されず、適宜設計変更できる。
【符号の説明】
【００４０】
１          圧力鍋  
２          鍋本体
３          蓋
６          ロック機構
１０        容器側ハンドル
１１        容器側ロック機構
１２        ガイド凹溝
１３        凸壁
２０        蓋側ハンドル
２１        蓋側ロック機構
２２        凹溝
２３        切欠き溝
３０        第１スライダー
３１        第１のバネ
４０        第２スライダー
４１        第２のバネ
４２        脚部
５０        ロックスライダー
５１        第３のバネ
５２        係止部
６０        フロート弁機構
６１      フロート弁
【図１】
0003175743.tif 000003
【図２】
0003175743.tif 000004
【図３】
0003175743.tif 000005
【図４】
0003175743.tif 000006
【図５】
0003175743.tif 000007
【図６】
0003175743.tif 000008
【図７】
0003175743.tif 000009
【図８】
0003175743.tif 000010
【図９】
0003175743.tif 000011
【図１０】
0003175743.tif 000012
【図１１】
0003175743.tif 000013